(57)【要約】【課題】パラパラ用紙が何枚かまとまって捲れてしまったりすることもなく、誰でも簡単に、かつ安価な構成でパラパラアニメーョンを楽しむことができる。【解決手段】パラパラ捲り機において、パラパラ用紙を内側のケース内に収め、外側のケースを回転させることにより前記パラパラ用紙を押し曲げ、前記外側のケースの更なる回転と押し曲げ力が解除されたパラパラ用紙の復元力によりパラパラアニメーションを見ることができるように構成した。パラパラ捲り機のパラパラ用紙保持部後方壁を、形状に沿って収められたパラパラ用紙先端の、用紙毎のズレ量が用紙の先頭面側ほど大きくなるように凸Ｒ形状に構成した。【選択図】        図１
2004180915.tif 000002
【特許請求の範囲】
【請求項１】
パラパラ用紙を内側のケース内に収め、外側のケースを回転させることにより前記パラパラ用紙を押し曲げ、前記外側のケースの更なる回転と押し曲げ力が解除されたパラパラ用紙の復元力によりパラパラアニメーションを見ることができるように構成したことを特徴とするパラパラ捲り機。
【請求項２】
前記パラパラ捲り機のパラパラ用紙保持部後方壁を、形状に沿って収められたパラパラ用紙先端の、用紙毎のズレ量が用紙の先頭面側ほど大きくなるように凸Ｒ形状にしたことを特徴とする請求項１記載のパラパラ捲り機。
【請求項３】
前記パラパラ捲り機のパラパラ用紙を押し下げる部材にはリブ部が設けられており、このリブ部の先端で前記パラパラ用紙を押し下げるように構成したことを特徴とする請求項１記載のパラパラ捲り機。
【請求項４】
前記パラパラ捲り機の中心部径を、押し下げられたパラパラ用紙が座屈したり、へたったりしないように大きく設けたことを特徴とする請求項１記載のパラパラ捲り機。
【発明の詳細な説明】
【０００１】
【発明の属する技術分野】
本発明は、パラパラアニメーションを楽しむためのパラパラ捲り機に関する。
【０００２】
【従来の技術】
従来、パラパラアニメーションを楽しむ場合には、図４に示すようにパラパラ用紙５の絵や画像のある部分から離れた方の端部をクリップ１０で挟んだり（Ａ）、輪ゴムやＯリング１１で止めたり（Ｂ）、端部１２をノリ付けしたり（Ｃ）して固定し、図５に示すようにパラパラ用紙５を少し折り曲げた上で親指１３の先端や爪先でパラパラ用紙５の絵や画像のある側の先端部をＥ方向に滑らすことにより行なっていた。
【０００３】
【発明が解決しようとする課題】
しかしながら、上述の従来例においては、うまく親指の先端や爪先でパラパラ用紙の先端部を滑らすことが出来ず、パラパラ用紙が１枚ずつぱらぱらと捲れるのではなく、何枚かまとまって捲れてしまったりして、見たいようなアニメーションにはならず不都合を感じることがあった。
【０００４】
また、実開平０４−６０２９９号公報に示されるように、ホルダーを設けてパラパラ用紙保持部後方壁を傾斜させた場合にも、前記保持部後方壁の傾斜の具合によって、パラパラ用紙が１枚ずつぱらぱらと捲れるのではなく、何枚かまとまって捲れてしまったり、滑らす量が増えてかえって使いづらくなったりして不都合を感じることがあった。
【０００５】
本発明は、上述事情に鑑みてなされたものであり、誰でも簡単に、かつ安価な構成でパラパラアニメーションを楽しむことができるパラパラ捲り機を提供することを目的とするものである。
【０００６】
【課題を解決するための手段】
このため、本発明においては、パラパラ用紙をパラパラ捲り機の内側のケース内に収め、外側のケースを回転させることにより前記パラパラ用紙を押し曲げ、前記外側のケースの更なる回転と押し曲げ力が解除されたパラパラ用紙の復元力によりパラパラアニメーションを見ることができるように構成することにより、前記目的を達成しようとするものである。
【０００７】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【０００８】
＜実施の形態１＞
図１（Ａ）、（Ｂ）、（Ｃ）に、本発明に係わるパラパラ捲り機の斜視図を示す。ここで、１は内側のケース（以下、内ケースと略す）であり、ＡＢＳ等の合成樹脂からできており、パラパラ用紙の保持部１ａと溝部１ｄが設けられている。２は内ケース１の内側に摺動可能で取り付けられているアクチュエータであり、ナイロン等の内ケース１とは違った材料からできており、先端にはリブ部２ｂが設けられている。３は外側のケース（以下、外ケースと略す）であり、ＡＢＳ等の合成樹脂からできており、一方の端部３ｃは断面爪形状をし、他方の端部には凸部３ｄが設けられている。また、内ケース１と外ケース３は軸４により回転可能に取り付けられ、この時内ケース１の溝部１ｄと外ケース３の凸部３ｄは噛み合っており、外ケース３の凸部３ｄによりアクチュエータ２を一方向に動かすことができるものとする。
【０００９】
図２（Ａ）、（Ｂ）、（Ｃ）、（Ｄ）、（Ｅ）を用いて、パラパラ捲り機の使用方法を説明する。まず、図２（Ａ）に示すように、パラパラ用紙５をＡ方向から内ケース１のパラパラ用紙保持部１ａに後方壁の形状に沿わせる形で装着する。次に、図２（Ｂ）に示すように、外ケース３をＢ方向に内ケース１の溝部１ｄの終点に凸部３ｄの先端がぶつかって止まるまで回転させる。この時、外ケース３の凸部３ｄによりアクチュエータ２はＢ′方向に回転させられ、パラパラ用紙５の先端をリブ部２ｂにより押し下げることができる。ここで、内ケース１の中心部径が大きいため、押し下げられたパラパラ用紙５が座屈したり、へたったりすることはない。次に、図２（Ｃ）、（Ｄ）に示すように、外ケース３をＣ方向に回転させると、外ケース３の先端部３ｂはアクチュエータ２の先端部を押して、内ケース１の端部にぶつかるまで回転させることができる。この時パラパラ用紙５の先端は押し下げられているため、外ケース３はスムーズに回転することができる。そして、図２（Ｅ）に示すように、外ケース３を再度Ｂ方向にゆっくりと回転させることで、外ケース３の爪形状をした端部３ｃに押し下げられていたパラパラ用紙５の先端は順々に押し下げ力を外されるため、パラパラ用紙５自身の復元力によってパラパラ用紙５は一枚ずつ捲られ、パラパラアニメーションを楽しむことができる。
【００１０】
この図２（Ａ）、（Ｂ）、（Ｃ）、（Ｄ）、（Ｅ）の動作を順番に繰り返すことにより、手を持ちかえることもなく、何回も繰り返してパラパラアニメーションを楽しむことが出来る。
【００１１】
この時、図３に示すように、パラパラ用紙保持部１ａの後方壁は凸Ｒの形状をしているため、これに沿って挿入されたパラパラ用紙５先端部の用紙毎のズレ量は用紙５の先頭面側５ｘほど大きくなっており、パラパラ用紙５がＤ方向に押し曲げられた場合にはこの傾向はさらに強まる。前述のようにしてパラパラアニメーションを楽しむ場合においては、きっかけ部分の間隔が離れているためアニメーションにスムーズに入ることが出来る上、全体としてのズレ量はそんなに大きくならないため操作がしづらくなることもない。
【００１２】
＜実施の形態２＞
図６（Ａ）、（Ｂ）、（Ｃ）に、実施の形態２を示す。同図は、上述の実施の形態１における図２に相当する説明図である。
【００１３】
ここでも、内ケース１と外ケース３は軸４により回転可能に取り付けられているが、アクチュエータ等はない。
【００１４】
まず、図６（Ａ）に示すように、パラパラ用紙５をＡ方向から内ケース１のパラパラ用紙保持部１ａに後方壁の形状に沿わせる形で装着する。次に、図６（Ｂ）に示すように、外ケース３をＢ方向に回転させるとパラパラ用紙５の先端は押し曲げられ、図６（Ｃ）に示すように、さらにＢ方向にゆっくりと回転させることで、外ケース３に押し下げられていたパラパラ用紙５の先端は外ケース３の端部３ｃから順々に押し下げ力を外されるため、パラパラ用紙５自身の復元力によってパラパラ用紙５は一枚ずつ捲られ、パラパラアニメーションを楽しむことができる。
【００１５】
＜実施の形態３＞
図７に、実施の形態３を示す。ここで、パラパラ用紙５を内ケース１のパラパラ用紙保持部１ａに装着する際、用紙５の先頭面側５ｘとは反対側にパラパラ用紙５の復元力を補強するための塩ビ等のバネ性を持った素材からなる補強板１４を追加してもよい。
【００１６】
＜実施の形態４＞
図８に、実施の形態４を示す。ここで、外ケース３の爪形状をした端部３ｃの代わりにローラー６を設けると、押し曲げられたパラパラ用紙５の先端をスムーズに滑らすことが出来る。
【００１７】
【発明の効果】
以上説明したように、本発明によると、パラパラ捲り機において、パラパラ用紙を内側のケース内に収め、外側のケースを回転させることにより前記パラパラ用紙を押し曲げ、前記外側のケースの更なる回転と押し曲げ力が解除されたパラパラ用紙の復元力によりパラパラアニメーションを見ることができるように構成したことと、パラパラ用紙保持部後方壁を、形状に沿って収められたパラパラ用紙先端の、用紙毎のズレ量が用紙の先頭面側ほど大きくなるように凸Ｒ形状にしたことにより、パラパラ用紙が何枚かまとまって捲れてしまったりすることもなく、誰でも簡単に、かつ安価な構成でパラパラアニメーションを楽しむことができる。
【図面の簡単な説明】
【図１】実施の形態１におけるパラパラ捲り機の構成を示す斜視図である。
【図２】実施の形態１におけるパラパラ捲り機の使用方法を示す説明図である。
【図３】本発明に係るパラパラ捲り機の説明図である。
【図４】従来例におけるパラパラ捲りの説明図である。
【図５】従来例におけるパラパラ捲りの説明図である。
【図６】実施の形態２におけるパラパラ捲り機の使用方法を示す説明図である。
【図７】実施の形態３におけるパラパラ捲り機の説明図である。
【図８】実施の形態４におけるパラパラ捲り機の説明図である。
【符号の説明】
１  内側のケース
１ａ  内側のケースのパラパラ用紙保持部
１ｄ  内側のケースの溝部
２  アクチュエータ
２ｂ  アクチュエータのリブ部
３  外側のケース
３ｂ  外側のケースの先端部
３ｃ  外側のケースの断面爪形状をした端部
３ｄ  外側のケースの凸部
４  軸
５  パラパラ用紙
５ｘ  パラパラ用紙の先頭面側
６  ローラ
【図１】
2004180915.tif 000003
【図２】
2004180915.tif 000004
【図３】
2004180915.tif 000005
【図４】
2004180915.tif 000006
【図５】
2004180915.tif 000007
【図６】
2004180915.tif 000008
【図７】
2004180915.tif 000009
【図８】
2004180915.tif 000010